(57)【要約】  【課題】収容金額の把握や計数が容易で、運搬中に硬貨が壁面に当たる音を低減することができる硬貨収容容器を提供する。  【解決手段】区画された収容部において硬貨を種類別に収容する容器部２と、該容器部を覆う蓋部５と、を備えた硬貨収容容器１であって、収容される硬貨の直径に応じた幅を有する硬貨収容部４を、幅方向に延びる仕切板１０によって、単位枚数ごとに積み重ねた際の硬貨の厚みに相当する長さに区分した。硬貨が単位枚数ごとに区画されるので、収容金額の把握が容易であり、硬貨の移動範囲が規制されるので、持ち運びの際に硬貨が壁に当たる音を低減できる。【選択図】図１
2010061590.tif 000002
【特許請求の範囲】
【請求項１】
区画された収容部において硬貨を種類別に収容する容器部（２）と、該容器部（２）を覆う蓋部（５）と、を備えた硬貨収容容器（１）であって、
収容される硬貨の直径に応じた幅を有する硬貨収容部（４）を、幅方向に延びる仕切板（１０）によって、単位枚数ごとに積み重ねた際の硬貨の厚みに相当する長さに区分したことを特徴とする硬貨収容容器。
【請求項２】
前記蓋部（５）を閉じた際に前記硬貨収容部（４）の側壁（３）の上端部に近接又は略接触する高さの突条（１７）を、該蓋部（５）の内側に設け、
該突条（１７）に、前記仕切板（１０）に近接又は略接触する高さのリブ（１８）を設けたことを特徴とする請求項１に記載の硬貨収容容器。
【請求項３】
前記仕切板（１０）の上縁部に凹状の窪み部（１２）を設けたことを特徴とする請求項１又は請求項２に記載の硬貨収容容器。
【発明の詳細な説明】
【技術分野】
【０００１】
本発明は、硬貨を種類別に収容した状態で持ち運びできる硬貨収納容器に関し、特に、持ち運んだ際に硬貨が散乱するのを防止できる硬貨収容容器に関する。
【背景技術】
【０００２】
小売業などにおける日常の会計業務に使用される硬貨収容容器には、図１２に示す硬貨収容容器１のように、硬貨を種類別に区分けした状態で容器部２に収容することができるように、区画壁３によって硬貨のサイズに応じた大きさに区画されたものが多い（特許文献１の図１０を参照）。
そして、このような硬貨収容容器１の多くは、収容される硬貨の直径に応じた幅を有する硬貨収容部４を備えたもので、その硬貨収容部４に硬貨を積み重ねて収容することで、容易に計数することができるようにしている。
【０００３】
このような硬貨収容容器において、容器部２の一側部２ａに蓋５を回動可能に設け、容器部２の他端部に設けられた操作部６を操作することによって、容器部２に設けられた係止部７と、蓋部５に設けられた被係止部８とが係脱し、蓋部５が開閉される構造を採用したものが多く、分別収納された硬貨が運搬中に位置ずれするのを防止するために、蓋部５の内側に突条を設ける技術が提案されている（特許文献１の図4を参照）。
【特許文献１】特開２００４−２２５４４０号公報
【発明の開示】
【発明が解決しようとする課題】
【０００４】
しかし、特許文献１に記載の硬貨収容容器１において、容器部２を平面上に置いて計数作業を行なう際に、硬貨収容部４に硬貨が略満杯に収容されていない時には、硬貨収容部４内で硬貨が倒れたり斜めになったりしてしまい、収容金額を瞬時に把握することができない。
この状態において、硬貨を計数する必要がある場合は、硬貨を再度整列させ、最下位から順に数えていかなければならないので、計数作業が煩雑であった。
【０００５】
また、硬貨収容部４に適度な空間がある場合は、持ち運びの際に、硬貨が硬貨収容部４の壁に当たるので、騒音が激しかった。
そこで、本発明は、収容金額の把握や計数が容易で、運搬中に硬貨が壁面に当たる音を低減することができる硬貨収容容器の提供を目的とする。
【課題を解決するための手段】
【０００６】
上記課題を解決するために、本発明は、区画された収容部において硬貨を種類別に収容する容器部と、該容器部を覆う蓋部と、を備えた硬貨収容容器であって、収容される硬貨の直径に応じた幅を有する硬貨収容部を、幅方向に延びる仕切板によって、単位枚数ごとに積み重ねた際の硬貨の厚みに相当する長さに区分したことを特徴とするものである。
この場合、前記蓋部を閉じた際に前記硬貨収容部の側壁の上端部に近接又は略接触する高さの突条を、該蓋部の内側に設け、該突条に、前記仕切板に近接又は略接触する高さのリブを設けてもよい。
また、前記仕切板の上縁部に凹状の窪み部を設けてもよい。
【発明の効果】
【０００７】
請求項1に係る硬貨収容容器は、硬貨の直径に応じた幅に形成された硬貨収容部を、仕切板によって、５枚、１０枚等の単位枚数ごとに積み重ねた際の硬貨の厚みに相当する長さに区分したので、当該硬貨収容部において、硬貨の詰まった区分の数を数えることで、収容されている硬貨の金額を瞬時に概算することができるようになる。
また、区画された硬貨収用部を更に仕切板で区分したので、硬貨収容部において収容されている硬貨の枚数が少ない場合であっても、硬貨収容部内で硬貨が倒れるのを防止できる。
また、仕切板によって硬貨の移動範囲を規制することができるので、持ち運びの際に硬貨が大きく移動するのを防止することができ、硬貨が壁に当たる音を小さくすることができる。
【０００８】
請求項２に係る硬貨収容容器は、蓋を閉じた際には、蓋部の内側に設けられた突条と、硬貨収容部の側壁によって、硬貨の収納領域が規制されるので、硬貨が他の硬貨収納部へと移動するのを防止できる。
また、硬貨収容部が、蓋部の突条に設けられたリブと硬貨収容部の仕切板によって、単位枚数に相当する長さに区画されるので、１つの区画に収容された硬貨の枚数が、その区画に収容されるべき単位枚数に満たない場合であっても、他の区画へと移動するのを防止できる。
これによって、持ち運び後においても、硬貨が種類毎に整列され、尚且つ単位枚数毎に仕切られた状態を維持させることができる。
【０００９】
請求項３に係る硬貨収容容器は、仕切板の上縁部に凹状の窪み部を設けたので、窪み部に指を差し入れて硬貨を摘み出すことで、硬貨を容易に取り出すことができる。
【発明を実施するための最良の形態】
【００１０】
本発明の好適な実施形態を、添付図面に基づいて説明する。なお、実施形態は以下の形態に限定されるものではなく、本発明の課題を解決し得るものであれば、他の態様も可能である。
【実施例１】
【００１１】
図１は、本発明の第１実施形態に係る硬貨収容容器１を示す斜視図である。
この硬貨収容容器１は、小売業などにおける日常の会計業務に使用されるもので、硬貨を種類別に区分した状態で収容する容器部２と、その容器部２の一側部２ａに回動可能に設けられた蓋部５と、によって構成されたものである。
【００１２】
この容器部２は、合成樹脂製の材料によって、蓋部５と共に一体成形されたものであり、その内部は、縦方向に延びる区画壁３によって、複数の硬貨収容部４に区画されている。
即ち、容器部２の背面側に位置する後端部２ａにおいて、商標や本製品の使用方法等を表示するための表示部９を設け、その表示部９より手前側に、１円、５円、１０円等の直径の小さい硬貨を収容するための硬貨収容部４ａ、４ｂ，４ｃが設けられ、残りの領域に、５０円、１００円、５００円等の直径の大きい硬貨を収容するための硬貨収容部４ｄ，４ｆ、４ｅが形成されている。
【００１３】
これらの硬貨収容部４を形成するための区画壁３は、容器２の正面側前端部から後端部に達しており、その上端部は、容器２の開口縁部と同一の高さにまで達している。
このような区画壁３によって形成された硬貨収容部４は、図２に示すように、各硬貨収容部４ａ，４ｂ，４ｃ，４ｄ，４ｅに収容される硬貨の直径に応じた幅Ｗを有する空間部であって、夫々の硬貨収容部４は、幅方向に延びる仕切板１０によって、複数の区画に区分されている。
【００１４】
この仕切板１０は等間隔に複数配設されており、これらの仕切板１０によって区切られている各区画は、硬貨を単位枚数（例えば１０枚）ごとに積み重ねた際の厚みに相当する長さＭを有している。
この仕切板１０の上縁部は、図３に示すように、容器部２の開口縁部よりも上方に突出しており、その上縁の中間部には、凹状の窪み部１２が設けられている。この窪み部１２に指を差し入れることで、その区画に収容されている硬貨を容易に取り出すことができる。
【００１５】
仕切板１０の板面には、２本のリブ１３が設けられている。このリブ１３によって、当該区画に収容されている硬貨と仕切板１０との間に隙間を生じさせることができるので、区画内に硬貨が詰まっている場合であっても、容易に摘み出すことが出来る。
夫々の硬貨収容部４の底部には、そこに収容される硬貨の直径に応じた高さの凸部１４が延設されており（図４参照）、蓋を閉じた際に、蓋部５に設けられた後述する凸部１５との間で硬貨を保持するようにしたことで、持ち運びの際の硬貨のガサつきを防止できる（図５参照）。
【００１６】
この容器部２の後端部には、図２に示すように、ヒンジ１６を介して蓋部５が回動可能に設けられており、前端部には、蓋部５に設けられた開閉操作部６に係止されて嵌めこまれる係止部７が設けられている。
次に、蓋部５の構成について説明する。
【００１７】
蓋部５の内側には、容器部２の区画壁３に対応する位置において、突条１７が延設されている。
この突条１７は、図４に示すように、蓋を閉じた際に、容器２に設けられた区画壁３に近接又は略接触する程度の高さに設計されており、その突条１７の両側には、容器部２の仕切板１０に対応する位置にリブ１８が設けられている。
【００１８】
このリブ１８は、仕切板１０に近接又は略接触するような高さに設計されており、硬貨を収容した状態で蓋を閉じた際に、図６に示すように、このリブ１８と容器２の仕切板１０とによって硬貨の収容空間を規制できるようにしている。
市場に流通している硬貨の殆どにおいて、計数に便利な単位枚数の硬貨の厚み（即ち、硬貨５枚の厚み、硬貨１０枚の厚み）は硬貨の直径よりも小さいので、仕切板１０の配設間隔（即ち収容区画４の長さＭ）も硬貨の直径未満である。
【００１９】
このため、収容される硬貨の枚数が少ない場合であっても、容器２を水平に置いた際に硬貨が倒れたり、持ち運び中に移動して、他の収容区画へと散乱するのを防止できる。
この蓋５の正面部には、開閉操作を行なうための操作部６が設けられている。
この操作部６は、容器２及び蓋５に一体成型されたものであり、厚みの薄いヒンジ部６ａを介して蓋５に対して回動可能となっている。
この操作部６の板面には、係止孔６ｂが設けられており、蓋を閉じた際に、容器部２に設けられた係止部７が係止されて嵌合されるようになっている。
【００２０】
上記構成の硬貨収容容器１の使用状態を説明する。
硬貨を硬貨収容部４に入れる際は、図５に示すように、硬貨のサイズに応じた硬貨収容部４に収容されるが、この際、各硬貨収容部４においては、図８に示すように、夫々の区画が満杯になるように順次収容していく。満杯にならない区画については、蓋部５の内側に設けられた突条１７と、硬貨収容部４の区画壁３によって、硬貨の収納領域が規制されるので、端数の硬貨は、区画内において位置規制される。
【００２１】
このように、収容されている硬貨の枚数が少なくて、硬貨収容部内で硬貨が動くことがあっても、硬貨は仕切板１０やリブ１８に係止された状態となり、硬貨が平面状に倒れないようにすることができるので、その区画内における硬貨の収容枚数を容易に把握することができる。
当該硬貨収容部４における合計金額を計数する際には、硬貨の詰まった区分の数を数えた後、端数の硬貨を数えることで、収容金額を瞬時に計算することができる。
硬貨収容容器１を持ち運ぶ際は、蓋を閉じることによって、蓋部５の内側に設けられた突条１７と、硬貨収容部４の区画壁３によって、硬貨の収納領域が規制される。これによって、運搬中に、硬貨が他の硬貨収納部へと移動するのを防止できる。
【００２２】
また、仕切板１０とリブ１８によって硬貨の移動範囲を規制することができるので、持ち運びの際に硬貨が大きく移動するのを防止することができ、硬貨が壁に当たる音を小さくすることができる。
１つの区画に収容された硬貨の枚数が、その区画に収容されるべき単位枚数に満たない場合であっても、運搬中の衝撃によって、硬貨が他の区画へと移動することがない。これによって、持ち運び後においても、硬貨が種類毎に整列され、尚且つ単位枚数毎に仕切られた状態を維持させることができる。
【００２３】
なお、本実施形態において、夫々の硬貨収容部４に、図８に示すような目盛りを設けてもよい。
この目盛りは、上方に硬貨の種類を示すタイトル（例えば１円）を表示し、その下を硬貨積載方向に沿って3列に区分し、１列目に、下端部から硬貨１枚分の間隔をあけて基準線ｐを設けた後、硬貨２枚に相当する間隔の目盛り線ａと硬貨３枚に相当する間隔の目盛り線ｂとを交互に配設し、夫々の目盛りに、その位置に対応する金額（例えばタイトルが１円の場合、１、３、６，８，１１，１３，・・・ｎ，ｎ＋２，n＋２+３）を表示している。
中央の２列目には、下端部から硬貨２枚分の間隔をあけて基準線ｐ’を設けた後、同様に硬貨２枚に相当する間隔の目盛り線ｂと硬貨３枚に相当する間隔の目盛り線ｃとを交互に配設し、夫々の目盛りにその位置に対応する金額（２、４、７，９，１２，１４・・・ｎ＋１，ｎ＋１＋２，ｎ＋１＋２＋３）を表示し、そして、３列目には、下端部ｐ”から硬貨５枚分に相当する間隔ｃ毎に、その位置に対応する金額（５，１０，１５・・・ｎ）を表示している（ｎは５の倍数）。
【００２４】
このように、硬貨積載方向に沿って３列に区分し、そのうちの２列の表示部に、硬貨２枚に相当する間隔の目盛り線ａと硬貨３枚に相当する間隔の目盛り線ｂとを交互に配設し、残りの１列に硬貨５枚に相当する目盛りすることによって、５枚単位に計数することが容易になり、１円玉５枚と５円、１０円玉５枚と５０円、１００円玉５枚と５００円の両替にも便利である。
下から硬貨を積み上げて収容し、その積み上げられた硬貨の上端の表示を読むことで、その硬貨収容部４に収容されている硬貨の合計金額を把握することができる。
【００２５】
また、本実施形態においては、蓋部５に突条１７とリブ１８を設けることによって、硬貨の移動空間を規制したが、所定間隔毎（Ｍ）に配設された仕切板１０によっても硬貨の移動空間を規制することができるので、必ずしも突条１７又はリブ１８は設ける必要はない。
この場合、仕切板１０の上縁部を蓋部５に近接させることによって、硬貨が移動しないようにすることができるが、硬貨の収容作業における便宜を考えると、仕切板１０の高さを容器部２の高さと同程度とし、蓋部５との間に生じた空間を、突起１８やリブ１８によって仕切るのが好ましい。
【実施例２】
【００２６】
次に、本発明の第２実施形態に係る硬貨収容容器１について説明する。
この硬貨収容容器１は、図９に示すように、手提金庫１００のトレイ４０に組み込まれたものであり、計数作業の際に、トレイ４０から取り外して使用できるようにしている。
この硬貨収容容器１の組み込まれる金庫１００は、耐火性の高い材料からなる有底無蓋の箱状体であり、容器１０２の縁部に沿って開口部を形成し、その内部に貴重品等を保管するための収納スペース１０６を設けている。
【００２７】
そして、容器１０２の開口縁部には、別部材からなるトレイ４０が載置されている。
このトレイ４０は、収納スペース１０６を遮蔽すると共に、硬貨や紙幣等を種類ごとに分離して収容するためのものであり、硬貨や紙幣のサイズに応じて複数の収容部が画成されている。
【００２８】
紙幣を収容するための紙幣収容部４１には、トレイ４０の上縁部に設けられた図示しない捩りコイルバネを介して札押さえ部材４３が設けられている。
この札押さえ部材４３は、径の細い針金を折曲させて形成されたもので、紙幣収納部４１内に収納された紙幣を上方から押圧すべく、捩りコイルバネによって付勢されている。この付勢力に抗して札押さえ部材４３を上方に持ち上げ、紙幣収納部４１内に紙幣を差し入れる。
【００２９】
これらの収納部４１の底部には、幅の狭い溝部４４が形成されている。最下層に収納した紙幣を取り出す際には、この溝部４４に指先を挿入することによって取り出しを容易にすることができる。
硬貨を収容するための硬貨収容部には、図１０に示すように、別体の硬貨用トレイ５０が取り付けられている。
【００３０】
この硬貨用トレイ５０は、後述する硬貨用トレイ蓋６０と共に本発明の第２実施形態に関わる硬貨収容容器１を構成するもので、区画された収容部において硬貨を種類別に収容できるようになっている。
詳しくは、区画された収容部のうち、中央に設けられた３列の硬貨収容部４は、硬貨の計数を容易にするための部位であり、収容される硬貨の直径に応じた幅を有し、幅方向に延びる仕切板１０によって、硬貨を例えば１０枚ごとに積み重ねた際の厚みに相当する長さに区分されている。
【００３１】
このように構成することで、硬貨の詰まった区分の数を数えることで、収容されている硬貨の金額を瞬時に把握することができる。また、硬貨の収容枚数が少ない場合であっても、硬貨収容部４内で硬貨が倒れるのを防止できる。また、仕切板１０によって硬貨の移動範囲を規制することができるので、持ち運びの際に硬貨が大きく移動するのを防止することができ、硬貨が壁に当たる音を小さくすることができる。
また、これらの硬貨収容部４の端部には、凹状部５３が設けられており、作業用スペース５４からの指先によるアクセスを容易にしている。
【００３２】
この硬貨用トレイ５０は、トレイ４０から取り出して使用する際に、手前が下になるように傾斜させることができるように、正面から底部にかけての外壁面が傾斜状又は湾曲状になっている。
この硬貨用トレイ５０の上方には、硬貨用トレイ蓋６０が設けられており、収納部内に収容された硬貨を上方から覆うようにしている（図１１を参照）。
【００３３】
硬貨用トレイ蓋６０の内側には、硬貨用トレイ５０の区画壁３に対応する位置において、突条１７が延設されている。この突条１７は、蓋を閉じた際に、硬貨用トレイ５０の区画壁３に係合するような高さに設計されており、硬貨用トレイ蓋６０を硬貨用トレイ５０に被せることによって、金庫を持ち運んだ際の硬貨の位置ずれを防止できる。
また、硬貨用トレイ蓋６０の角部に突出部６２を設け、この突出部６２を硬貨用トレイ５０の隅部に差し込むことによって、持ち運びの際に蓋が外れるのを防止するようにしている。
【００３４】
このような硬貨収容容器１が組み込まれたトレイ４０を介装した状態で容器１０２を遮蔽することができるように、容器１０２の開口縁部１０２ａに設けられたヒンジ１０２ｂを介して、蓋１０３が回動可能に取り付けられている。
この蓋１０３には、上面を一部内側に陥没させて凹部１０４が設けられており、この凹部１０４に設けられた取付部を介して把持部１０５が回動可能に取り付けられている。
【００３５】
把持部１０５は、手を挿入して掴持できるような形状の取っ手部材からなり、上側に回転させることで、運搬時に金庫１００の手提げが可能となる。
不使用時には、把持部１０５を下側に回転させて蓋１０３の凹部１０４内に収容し、蓋１０２の上面から突出しないようにすることができる。このように構成することで、不使用時にはコンパクトになり、戸棚や引き出しへの収納が容易になり、積み重ねも可能となる。
【００３６】
この金庫１０１には、シリンダ錠２０とダイヤル錠３０の２種類の施錠手段が設けられている。
詳しくは、蓋１０３の正面側の縁部には、シリンダ錠のための係止片２１と，ダイヤル錠のための係止片３１が設けられ、容器１０２には、それらに対応する位置に係止溝２２、３２が設けられている。
蓋１０３を閉じた際に、係止溝２２，３２に係止片２１，３１が差し込まれて係合し、その係合状態を、夫々の施錠手段２０、３０が、以下の機構によってロックする。
【００３７】
シリンダ錠２０は、鍵穴２１内に別体の鍵を差し込んで回転させて、係止片２１と係合溝２２とのロック状態を切り替える。
ダイヤル錠３０は、所定の目盛りに合わせてダイヤル操作部３３を回転させることによって、係止片３１と係止溝３２とのロック状態を切り替える。
双方の施錠手段２０、３０におけるロックを解除した後、正面中央に設けられた操作レバー３５を操作することで、係止溝２２,３２内に設けられた図示しない係合手段が、係止片２１，３１から離脱し、係止片２１，３１と係止溝２２，３２との係止状態が解除され、蓋１０２が開放される。
【００３８】
このような施錠手段２０，３０は、金庫１の正面側の外壁の中央を窪ませた部位に設けられている。詳しくは、金庫１の正面に化粧板を兼ねた正面部材１０を取り付け、その正面部材１１０にシリンダキー２０の鍵穴と、ダイヤル錠３０のダイヤル操作部３３と、操作レバー３５とを設けている。
この正面部材１１０は、所定部位に凹部を有する四角形の板部材であり、その凹部に、ダイヤル操作部３３等が設けられる。
【００３９】
正面部材１１０の上縁部１１１と下縁部１１２は、レール状になっており、それらの端縁部１１１，１１２に、カバー部材１１３がスライド自在に取り付けられている。
このカバー部材１１３は、透明な合成樹脂製の板部材からなり、不使用時にはダイヤル操作部３３を覆い、ダイヤル操作時にのみスライドさせて、ダイヤル操作部３３を露呈させることができるような形状に形成れている。
【００４０】
このように、正面部材１１０の端縁部をレール状にして、そこにカバー部材１１３をスライド可能に取り付け、カバー部材１１３をスライドさせることによって、ダイヤル操作部３３を覆ったり、露呈させたりすることができるようにしたので、不使用時はカバー部材でダイヤル操作部を覆っておくことによって、ダイヤルが不用意に回転されるのを防止することができる。
このため、開錠された状態のダイヤルに手が触れるのを回避できるので、ダイヤル錠が意に反して施錠されてしまうのを回避でき、ダイヤル番号の失念等により開閉不能となることを効果的に防止できる。
【００４１】
また、容器１０２の壁面に、所定位置に凹部を有する正面部材１１０を取り付け、その凹部にダイヤル操作部３３を設けることで、ダイヤルに手が触れるのを効果的に防止できる。
このように、金庫１００の壁面から窪んだ部位にダイヤル操作部３３を設けると共に、正面部材１１０の側縁部をもって、カバー部材１１３をスライド可能に取り付けるレール部としたので、正面部材１１０の上面にカバー部材１１３を摺接させることができる。これによって、金庫１００の壁面から構造物が突出するのを抑制することができ、コンパクトにすることができる。
【００４２】
なお、本実施形態では、正面部材の縁部１１１，１１２をもってレール部材としたが、金庫１００の壁面にダイヤル錠を直接設け、その両側にレール状の部材を設け、そのレール部材に、カバー部材１１３を取り付けてもよい。
また、本実施形態では、カバー部材１１３を透明部材で構成することによって、ダイヤル操作部の位置や施錠状態を把握し易いようにしたが、不透明部材を使用することによってデザイン性を高めてもよい。
【００４３】
この場合、ダイヤル操作部３３をカバー部材１１３で覆った際に、ダイヤルの目盛りが僅かに表れるような形状（例えば、本実施形態のような「くの字型」）にカバー部材１１３を構成することによって、ダイヤル操作部３３の位置を把握し易くしてもよいし、ダイヤルが全て隠れるような形状にしてもよい。
また、本実施形態の金庫１は、容器の蓋部に把持部を設けた手提げ金庫であるが、把持部を設けない設置型の金庫でもよいし、ダイヤル錠を金庫の扉に設けても良いし、上面に設けても良い。
【産業上の利用可能性】
【００４４】
本発明は、単体で使用される硬貨収容容器のみではなく、あらゆる収納庫に組み込まれた硬貨収容容器に適用することができる。
【図面の簡単な説明】
【００４５】
【図１】本発明の第１実施形態に係る硬貨収容容器を示す斜視図である。
【図２】上記硬貨収容容器を開放した状態の平面図である。
【図３】図２における正面図である。
【図４】蓋を閉じた状態におけるＡ−Ａ線矢視断面図である。
【図５】図４において、硬貨を収容した状態を示すＡ−Ａ線矢視断面図である。
【図６】硬貨を収容した状態で蓋を閉じた状態を示すＢ−Ｂ線矢視断面図である。
【図７】硬貨収容部に表示可能な目盛りの例を示し、（Ａ）は１円収容部の表示で、（Ｂ）は１０円収容部の表示で、（Ｃ）は１００円収容部の表示である。
【図８】上記硬貨収容容器の使用状態を示す説明図である。
【図９】本発明の第２実施形態に係る硬貨収容容器が組み込まれた金庫を示す斜視図である。
【図１０】上記金庫のトレイに硬貨収容容器が組み込まれる状態を示す斜視図である。
【図１１】上記硬貨収容容器の蓋部を示す斜視図である。
【図１２】従来の硬貨収容容器を示す斜視図である。
【符号の説明】
【００４６】
１・・・硬貨収容容器
２・・・容器部
３・・・区画壁
４・・・硬貨収容部
５・・・蓋部
６・・・操作部
７・・・係止部
９・・・表示部
１０・・・仕切板
１２・・・窪み部
１３・・・リブ
１４・・・凸部
１５・・・凸部
１６・・・ヒンジ
１７・・・突条
１８・・・リブ
２０・・・シリンダ錠
２１・・・係止部
２２・・・係止溝
３０・・・ダイヤル錠
３１・・・係止部
３２・・・係止溝
３３・・・ダイヤル操作部
３５・・・操作レバー
４０・・・トレイ
４１・・・紙幣収容部
４３・・・札押さえ部材
４４・・・溝部
５０・・・硬貨用トレイ
５１・・・収納部
５２・・・仕切板
５３・・・凹状部
５４・・・作業用スペース
６０・・・硬貨用トレイ蓋
６１・・・蓋押圧部
６２・・・突出部
１００・・・金庫
１０２・・・容器
１００・・・金庫
１０２・・・容器
１０３・・・蓋
１０４・・・凹部
１０５・・・把持部
１０６・・・収納スペース
１１０・・・正面部材
１１１・・・上端縁部（レール部材）
１１２・・・下端縁部（レール部材）
１１３・・・カバー部材
【図１】
2010061590.tif 000003
【図２】
2010061590.tif 000004
【図３】
2010061590.tif 000005
【図４】
2010061590.tif 000006
【図５】
2010061590.tif 000007
【図６】
2010061590.tif 000008
【図７】
2010061590.tif 000009
【図８】
2010061590.tif 000010
【図９】
2010061590.tif 000011
【図１０】
2010061590.tif 000012
【図１１】
2010061590.tif 000013
【図１２】
2010061590.tif 000014